(57)【要約】【課題】意図したとおりの印刷を行うことができるようにする。【解決手段】データを識別するための識別情報が記録された識別情報記録部２６と、識別情報と対応させてデータが記録されたデータ記録部と、上位装置から送信されたデータの識別情報と、識別情報記録部２６に記録された識別情報とを比較する比較処理手段と、比較処理手段による比較結果、及びデータ記録部に記録されたデータに基づいて画像を形成する画像形成部とを有する。上位装置から送信されたデータの識別情報と、識別情報記録部２６に記録された識別情報とが比較され、比較結果、及びデータ記録部に記録されたデータに基づいて画像が形成されるので、他の操作者によって更新された場合でも、意図したとおりの印刷を行うことができる。【選択図】図１
2007261106.tif 000002
【特許請求の範囲】
【請求項１】
（ａ）データを識別するための識別情報が記録された識別情報記録部と、
（ｂ）前記識別情報と対応させてデータが記録されたデータ記録部と、
（ｃ）上位装置から送信されたデータの識別情報と、前記識別情報記録部に記録された識別情報とを比較する比較処理手段と、
（ｄ）該比較処理手段による比較結果、及び前記データ記録部に記録されたデータに基づいて画像を形成する画像形成部とを有することを特徴とする画像形成装置。
【請求項２】
前記識別情報は、画像の形成についての設定情報を識別するための設定情報指標を含む請求項１に記載の画像形成装置。
【請求項３】
（ａ）前記上位装置から送信されたデータの識別情報に、データを更新するための更新要求が含まれているかどうかを判断する更新要求判定処理手段と、
（ｂ）前記識別情報に更新要求が含まれている場合、識別情報を記録する記録処理手段とを有する請求項１に記載の画像形成装置。
【請求項４】
上位装置、画像形成装置、及び前記上位装置と画像形成装置とを接続するネットワークを有する画像形成システムにおいて、
（ａ）前記上位装置に配設され、データを識別するための識別情報を前記画像形成装置に送信する送信処理手段と、
（ｂ）前記画像形成装置に配設され、識別情報が記録された識別情報記録部と、
（ｃ）前記画像形成装置に配設され、前記識別情報と対応させてデータが記録されたデータ記録部と、
（ｄ）前記画像形成装置に配設され、上位装置から送信されたデータの識別情報と、前記識別情報記録部に記録された識別情報とを比較する比較処理手段と、
（ｅ）前記画像形成装置に配設され、前記比較処理手段による比較結果に基づいて、前記記録部に記録されたデータに基づいて画像を形成する画像形成部とを有することを特徴とする画像形成システム。
【発明の詳細な説明】
【技術分野】
【０００１】
本発明は、画像形成装置及び画像形成システムに関するものである。
【背景技術】
【０００２】
従来、プリンタ、複写機、ファクシミリ装置、複合機等の画像形成装置、例えば、プリンタを上位装置と接続することによって形成された画像形成システムにおいては、上位装置からプリンタに印刷データが送信されると、プリンタは、印刷データに従って、画像の形成、すなわち、印刷を行った後、印刷データを消去することなく、ハードディスク等のメモリに記録しておき、記録された印刷データを再利用して印刷を行うことができるようになっている。
【０００３】
この場合、プリンタにおいては、上位装置から印刷データを受信する必要がなく、記録された内容を表す情報を上位装置から受信すると、対応する印刷データをメモリから読み出し、該印刷データに従って印刷を行う。したがって、上位装置は、新たに印刷データを送信する必要がなくなるので、上位装置からプリンタへの印刷データの送信時間を短くすることができる（例えば、特許文献１参照。）。
【特許文献１】特開平１１−２２７３０２号公報
【発明の開示】
【発明が解決しようとする課題】
【０００４】
しかしながら、前記従来の画像形成システムにおいては、メモリに記録された印刷データが複数の操作者によって更新されるようになっているので、他の操作者によって更新されたことが分からずに印刷指示を送信すると、意図したとおりの印刷を行うことができない。
【０００５】
本発明は、前記従来の画像形成システムの問題点を解決して、意図したとおりの印刷を行うことができる画像形成装置及び画像形成システムを提供することを目的とする。
【課題を解決するための手段】
【０００６】
そのために、本発明の画像形成装置においては、データを識別するための識別情報が記録された識別情報記録部と、前記識別情報と対応させてデータが記録されたデータ記録部と、上位装置から送信されたデータの識別情報と、前記識別情報記録部に記録された識別情報とを比較する比較処理手段と、該比較処理手段による比較結果、及び前記データ記録部に記録されたデータに基づいて画像を形成する画像形成部とを有する。
【発明の効果】
【０００７】
本発明によれば、画像形成装置においては、データを識別するための識別情報が記録された識別情報記録部と、前記識別情報と対応させてデータが記録されたデータ記録部と、上位装置から送信されたデータの識別情報と、前記識別情報記録部に記録された識別情報とを比較する比較処理手段と、該比較処理手段による比較結果、及び前記データ記録部に記録されたデータに基づいて画像を形成する画像形成部とを有する。
【０００８】
この場合、上位装置から送信されたデータの識別情報と、前記識別情報記録部に記録された識別情報とが比較され、比較結果、及び前記データ記録部に記録されたデータに基づいて画像が形成されるので、他の操作者によって更新された場合でも、意図したとおりの印刷を行うことができる。
【発明を実施するための最良の形態】
【０００９】
以下、本発明の実施の形態について図面を参照しながら詳細に説明する。この場合、画像形成装置としてプリンタを使用し、上位装置とプリンタとを接続することによって形成された画像形成システムについて説明する。
【００１０】
図１は本発明の第１の実施の形態におけるプリンタのブロック図、図２は本発明の第１の実施の形態における画像形成システムの概略図である。
【００１１】
図に示されるように、上位装置Ｐｓｉ（ｉ＝１、２、…）とプリンタ２０とがネットワーク１１を介して接続される。
【００１２】
前記プリンタ２０は、ネットワーク１１を介して、上位装置Ｐｓｉとの間で各種のデータの送信及び受信を行うための送受信部２１、該送受信部２１によって受信したデータを識別するための識別情報を判別する識別情報判別部２２、前記送受信部２１によって受信したデータが、識別情報判別部２２によって印刷データであると判別された場合に、前記識別情報と対応させて印刷データを一時的に記録するデータ記録部としての一時記録部２５、既に印刷済みのデータに対応した識別情報を記録する識別情報記録部２６、前記送受信部２１によって受信したデータが、識別情報判別部２２によって識別情報であると判別された場合に、受信した識別情報と識別情報記録部２６に記録されている識別情報とを比較し、同じデータが存在するかどうか、また、同じデータが存在する場合は、どちらのデータが最新のデータであるかの判定を行う比較処理手段としての比較部２３、前記プリンタ２０の全体の制御を行う制御部２４、印刷データを解釈して所定の画像処理、本実施の形態においては、ラスタライズ処理を行う画像処理部２７、及び前記ラスタライズ処理が行われた画像データに従って印刷を行う画像形成部としての印刷部２８を備える。
【００１３】
また、前記一時記録部２５は、ラスタライズ処理が行われていない印刷データを記録する画像未処理データ部２５ａ、及びラスタライズ処理が行われた印刷データを記録する画像既処理データ部２５ｂを備える。したがって、前記送受信部２１によって受信したデータが識別情報判別部２２において印刷データである判断された場合、受信したデータは画像未処理データ部２５ａに記録される。
【００１４】
また、前記制御部２４は、前記送受信部２１によるデータの送受信、前記送受信部２１によって受信したデータの識別情報判別部２２への通知、前記送受信部２１から通知された情報が識別情報であるか印刷データであるかどうかの識別情報判別部２２における判断、送受信部２１によって受信したデータが識別情報判別部２２において印刷データであると判定された場合のデータの画像未処理データ部２５ａへの記録、前記比較部２３による識別情報判別部２２によって判別された識別情報と前記識別情報記録部２６に記録されている識別情報との比較、前記送受信部２１を介した上位装置Ｐｓｉへの印刷データの送信要求、前記識別情報判別部２２によって識別された識別情報の識別情報記録部２６への記録、前記画像未処理データ部２５ａに記録されているデータの画像処理部２７への送信、該画像処理部２７においてラスタライズ処理された画像データの画像既処理データ部２５ｂへの記録、前記画像処理部２７においてラスタライズ処理された画像データの印刷部２８への送信等を行う。
【００１５】
図３は本発明の第１の実施の形態における上位装置の印刷システムを示す図である。
【００１６】
図において、Ｐｓｉは上位装置であり、該上位装置Ｐｓｉにおいて、通常、プリンタドライバ３２の図示されない印刷データ作成処理手段は、印刷データ作成処理を行い、アプリケーション３１に従って印刷データを作成し、該印刷データをスプーラに送る。本実施の形態においては、スプーラとしてデータ分割スプーラ３３という特殊なスプーラを使用する。該データ分割スプーラ３３の図示されない送信情報記録処理手段は、送信情報記録処理を行い、本来の印刷データを、印刷データを識別するための識別情報と、印刷データ自体とに分割するとともに、印刷データごとにヘッダ番号を割り当てて、上位装置Ｐｓｉ内の内部メモリ３４に設定されたメモリデータ分割テーブルＴｂ１に記録する。
【００１７】
そして、前記データ分割スプーラ３３の図示されない送信処理手段は、送信処理を行い、ネットワーク１１を介してプリンタ２０（図２）に識別情報だけを送信する。
【００１８】
また、前記送信処理手段は、プリンタ２０からヘッダ番号で指定された印刷データの送信要求が送信されると、前記内部メモリ３４に記録されている印刷データをヘッダ番号で特定して読み出し、プリンタ２０に送信する。それに伴って、前記データ分割スプーラ３３の図示されない消去処理手段は、消去処理を行い、送信した印刷データを内部メモリ３４から消去する。
【００１９】
次に、前記識別情報の内容について説明する。
【００２０】
図４は本発明の第１の実施の形態における識別情報のフォーマットの例を示す図である。
【００２１】
図に示されるように、識別情報には、印刷データを識別するために、上位装置Ｐｓｉ（図３）を特定するための、コンピュータ名及びＭＡＣアドレス、印刷元データのファイル名、印刷元データの作成日時、印刷データを作成するに当たり設定された印刷設定情報を特定するための印刷設定情報識別番号、並びにデータ分割スプーラ３３が印刷データを特定するためのヘッダ番号が含まれる。
【００２２】
また、識別情報の例として、“ＨｏｓｔＸＸ１”は操作者が装置に割り当てたコンピュータ名を、“００  ８５  ８３  ２５  ４４  ＡＡ”は装置固有のＭＡＣアドレスを、“Ｄｅｍｏｎｓｔｒａｔｉｏｎ  １”は印刷元データのファイル名を、“２００５  ０１  １２  １０  １４  ４０”は印刷元データの作成日時（２００５年１月１２日、１０時１４分４０秒）を、“＃８”は、例えば、印刷設定情報として〔用紙サイズ設定、解像度設定、Ｎ−Ｕｐ設定〕に、〔Ａ５判用紙、６００×１２００〔ｄｐｉ〕、４〕がそれぞれ設定されたことを、“＃３”はデータ分割スプーラ３３で割り当てられたヘッダ番号であり、識別情報が３であり、印刷データが３であることを表す。
【００２３】
次に、印刷設定情報識別番号によって特定される印刷設定情報の内容について説明する。
【００２４】
図５は本発明の第１の実施の形態における印刷設定情報識別番号テーブルのフォーマットの例を示す図である。
【００２５】
図において、Ｔｂ２は、上位装置Ｐｓｉ（図３）の内部メモリ３４に設定された印刷設定情報識別番号テーブルであり、該印刷設定情報識別番号テーブルＴｂ２に、印刷設定情報識別番号と対応させて印刷設定情報が記録される。なお、上位装置Ｐｓｉにおいてプリンタドライバ３２の図示されない印刷設定情報設定処理手段は、印刷設定情報設定処理を行い、前記印刷設定情報を設定する。該印刷設定情報は、印刷に使用される用紙の用紙サイズの設定、印刷解像度の設定、Ｎ−Ｕｐの設定等の各印刷設定の組合せから成る。例えば、印刷設定情報識別番号＃８の印刷設定情報は、用紙サイズの設定がＡ４判用紙であり、印刷解像度の設定が６００×１２００〔ｄｐｉ〕であり、Ｎ−Ｕｐの設定が４であることを表す。
【００２６】
ところで、通常は、印刷元データのファイル名、印刷元データの作成日時及びファイルサイズが一致するデータをラスタライズ処理しても、印刷結果は同じにはならない。これは、前述されたように、上位装置Ｐｓｉから送信されるデータには印刷設定情報が含まれ、該印刷設定情報が異なることがあるからである。
【００２７】
そこで、本実施の形態においては、上位装置Ｐｓｉから送信されるデータと一時記録部２５（図１）に記録されたデータとが全く同じデータであるかどうかを判断するために、前記印刷設定情報識別番号を使用し、該印刷設定情報識別番号によって二つのデータが一致するかどうかを判断するようになっている。
【００２８】
そのために、プリンタドライバ３２の図示されない印刷設定情報識別番号取得処理手段は、印刷設定情報識別番号取得処理を行い、印刷データを作成する際に、印刷設定情報識別番号テーブルＴｂ２を参照し、印刷設定情報に対応する印刷設定情報識別番号を読み出し、前記印刷データ作成処理手段は、印刷データに前記印刷設定情報識別番号をヘッダ情報として記録する。
【００２９】
一方、識別情報記録部２６（図１）に記録される識別情報にも、各印刷データごとに印刷設定情報識別番号が付与される。
【００３０】
図６は本発明の第１の実施の形態におけるデータ格納フォーマットの例を示す図である。
【００３１】
図に示されるように、識別情報記録部２６（図１）には、印刷元データのファイル名、印刷元データの作成日時及び印刷設定情報識別番号が記録される。
【００３２】
次に、前記構成の画像形成システムの動作について説明する。
【００３３】
図７は本発明の第１の実施の形態におけるプリンタの動作を示すフローチャート、図８は本発明の第１の実施の形態における識別情報の送信形態を示す図、図９は本発明の第１の実施の形態における識別情報及び印刷データの送信形態を示す図である。
【００３４】
まず、プリンタ２０（図１）において、制御部２４の図示されない受信処理手段は、受信処理を行い、送受信部２１によってデータを受信すると、制御部２４の更新要求判定処理手段としての図示されないコマンド判定処理手段は、更新要求判定処理としてのコマンド判定処理を行い、識別情報に更新要求が含まれているかどうか、すなわち、更新コマンドがデータを更新するための更新要求であるかどうかを判断する。例えば、更新要求である場合にはビットに“１”が、更新要求でない場合にはビットに“０”があるかどうかを判断する。そして、ビットに“１”がある場合は更新要求であると判断し、ビットに“０”がある場合は更新要求でないと判断する。
【００３５】
前記更新コマンドが更新要求である場合、制御部２４の第１の記録処理手段としての図示されない識別情報記録処理手段は、第１の記録処理としての識別情報記録処理を行い、受信したデータの識別情報のうち、作成日時及び印刷設定情報識別番号を識別情報記録部２６に記録する。次に、前記識別情報記録処理手段は、受信したデータの識別情報のうち、印刷設定情報識別番号、用紙サイズの設定、印刷解像度の設定及びＮ−Ｕｐの設定等の設定情報を、制御部２４の図示されない内部メモリに設定された印刷設定情報識別番号テーブルに、設定情報指標として記録する。そのために、前記印刷設定情報識別番号テーブルＴｂ２（図５）と同じ内容の印刷設定情報識別番号テーブルが制御部２４の内部メモリに設定される。また、前記制御部２４の第２の記録処理手段としての図示されないデータ記録処理手段は、第２の記録処理としてのデータ記録処理を行い、印刷データを一時記録部２５の画像未処理データ部２５ａに記録する。
【００３６】
一方、更新コマンドが更新要求でない場合、制御部２４の図示されない識別情報判別処理手段は、識別情報判別処理を行い、受信したデータを識別情報判別部２２に通知し、受信したデータが図８に示されるような識別情報だけであるか、図９に示されるような識別情報及び印刷データであるかを判別する。なお、図８及び９において識別番号は、印刷設定情報識別番号を表す。
【００３７】
そして、受信データが識別情報だけである場合、制御部２４の図示されない第１の比較処理手段は、第１の比較処理を行い、比較部２３によって、識別情報判別部２２により判別された識別情報と識別情報記録部２６に記録されている識別情報とを、図６に示されるデータ格納フォーマットに従って、印刷元データのファイル名及び印刷設定情報識別番号に基づいて比較し、同じ識別情報が識別情報記録部２６に記録されているかどうかを判断する。
【００３８】
そして、同じ識別情報が識別情報記録部２６に記録されていない場合は、制御部２４の図示されない印刷データ要求処理手段は、印刷データ要求処理を行い、識別情報判別部２２によって判別した識別情報に基づいて、上位装置Ｐｓｉ（図３）のコンピュータ名及びＭＡＣアドレス情報を読み込み、コンピュータ名及びＭＡＣアドレス情報によって上位装置Ｐｓｉを特定し、送受信部２１を介して上位装置Ｐｓｉにヘッダ番号情報を通知するとともに、印刷データの送信要求を通知する。
【００３９】
この際、上位装置Ｐｓｉに通知する情報の中にヘッダ番号情報を含ませることによって、上位装置Ｐｓｉにおいて前記印刷データ送信処理手段は、プリンタ２０に送信すべき印刷データを特定することができる。
【００４０】
また、同じ識別情報が識別情報記録部２６に記録されている場合、制御部２４の図示されない第２の比較処理手段は、第２の比較処理を行い、比較部２３によって、識別情報判別部２２により判別された識別情報と識別情報記録部２６に既に記録された識別情報とを、印刷設定情報識別番号、用紙サイズの設定、印刷解像度の設定及びＮ−Ｕｐの設定に基づいて比較し、同じ印刷設定情報が識別情報記録部２６に記録されているかどうかを判断する。
【００４１】
そして、同じ印刷設定情報が識別情報記録部２６に記録されていない場合は、前記印刷データ要求処理手段は、識別情報判別部２２によって判別した識別情報に基づいて、上位装置Ｐｓｉのコンピュータ名及びＭＡＣアドレス情報を読み込み、コンピュータ名及びＭＡＣアドレス情報によって上位装置Ｐｓｉを特定し、送受信部２１を介して上位装置Ｐｓｉにヘッダ番号情報を通知するとともに、印刷データの送信要求を通知する。
【００４２】
また、同じ印刷設定情報が識別情報記録部２６に記録されている場合、制御部２４の図示されないデータ取得処理手段は、データ取得処理を行い、画像既処理データ部２５ｂに、同じ印刷設定で画像処理が行われたデータがあるかどうかを判断し、画像既処理データ部２５ｂに、同じ印刷設定で画像処理が行われたデータがある場合、画像既処理データ部２５ｂから対応する処理済みの（画像処理が行われた）データを読み出して印刷部２８に送り、画像既処理データ部２５ｂに、同じ印刷設定で画像処理が行われたデータがない場合、画像未処理データ部２５ａから対応する未処理の（画像処理が行われていない）データを読み出して印刷部２８に送る。
【００４３】
そして、画像既処理データ部２５ｂから対応する処理済みのデータが読み出され、印刷部２８に送られると、前記制御部２４の図示されない画像形成処理手段は、画像形成処理を行い、印刷部２８によって、一時記録部２５から送られたデータに従って印刷を行う。
【００４４】
一方、画像未処理データ部２５ａから対応する未処理のデータが読み出され、印刷部２８に送られると、前記制御部２４の図示されない画像処理手段は、画像処理を行い、画像未処理データ部２５ａから読み出されたデータに対し、画像処理部２７によってラスタライズ処理を行い、ラスタライズ処理が行われたデータを、印刷設定情報識別番号に対応させて画像既処理データ部２５ｂに記録する。
【００４５】
なお、前記ラスタライズ処理においては、印刷設定情報識別番号テーブルに格納されている印刷設定情報（用紙サイズの設定、印刷解像度の設定、Ｎ−Ｕｐの設定等）に基づいて行われる。したがって、印刷設定情報が異なる場合は再びラスタライズ処理が行われることになる。
【００４６】
一方、受信データが識別情報及び印刷データである場合、前記識別情報記録処理手段は、受信したデータの識別情報のうち、作成日時及び印刷設定情報識別番号を識別情報記録部２６に記録する。次に、前記識別情報記録処理手段は、受信したデータの識別情報のうち、印刷設定情報識別番号、用紙サイズの設定、印刷解像度の設定及びＮ−Ｕｐの設定等を、制御部２４の内部メモリに設定された印刷設定情報識別番号テーブルに記録する。
【００４７】
このように、本実施の形態においては、上位装置Ｐｓｉからプリンタ２０に送信したデータが識別情報だけである場合に、識別情報記録部２６に同じ識別情報が記録されているかどうかが判断され、同じ識別情報が記録されている場合に、識別情報記録部２６に同じ印刷設定情報が記録されているかどうかが判断され、同じ印刷設定情報が記録されている場合、一時記録部２５に記録されたデータを使用して印刷が行われる。したがって、上位装置Ｐｓｉは、新たに印刷データを送信する必要がなくなるので、上位装置Ｐｓｉからプリンタ２０への印刷データの送信時間を短くすることができる。
【００４８】
また、更新コマンドが更新要求である場合、印刷データに新たに識別情報が付与され、プリンタ２０に送信されるので、一時記録部２５に記録されたデータが更新された場合、更新される前のデータが残る。したがって、他の操作者によって更新されたことが分からずに印刷指示を送信しても、一時記録部２５に記録された前のデータに従って印刷を行うことができる。その結果、意図したとおりの印刷を行うことができる。
【００４９】
本実施の形態においては、更新された印刷データについては、そのまま画像未処理データ部２５ａに記録されるようになっているが、ラスタライズ処理を行って、画像既処理データ部２５ｂに記録することができる。なお、一時記録部２５の容量がなくなった場合には、最も古いデータを順次削除するようにすれば、メモリフルの場合でも新しいデータを記録することができる。
【００５０】
次に、フローチャートについて説明する。  
ステップＳ１  データを受信する。
ステップＳ２  更新コマンドが更新要求であるかどうかを判断する。更新コマンドが更新要求である場合はステップＳ１４に、更新要求でない場合はステップＳ３に進む。
ステップＳ３  受信したデータは識別情報だけであるかどうかを判断する。受信したデータは識別情報だけである場合はステップＳ４に、識別情報だけでない（識別情報及び印刷データである）場合はステップＳ１０に進む。
ステップＳ４  同じ識別情報が記録されているかどうかを判断する。同じ識別情報が記録されている場合はステップＳ５に、記録されていない場合はステップＳ７に進む。
ステップＳ５  同じ印刷設定情報が記録されているかどうかを判断する。同じ印刷設定情報が記録されている場合はステップＳ６に、記録されていない場合はステップＳ７に進む。
ステップＳ６  画像既処理データ部２５ｂにデータがあるかどうかを判断する。画像既処理データ部２５ｂにデータがある場合はステップＳ８に、データがない場合はステップＳ９に進む。
ステップＳ７  上位装置Ｐｓｉに印刷データの送信要求を通知し、処理を終了する。
ステップＳ８  画像既処理データ部２５ｂから対応するデータを読み出し、ステップＳ１７に進む。
ステップＳ９  画像未処理データ部２５ａから対応するデータを読み出す。
ステップＳ１０  識別情報記録部２６に記録する。
ステップＳ１１  印刷設定情報識別番号テーブルに記録する。
ステップＳ１２  ラスタライズ処理を行う。
ステップＳ１３  画像既処理データ部２５ｂに記録し、ステップＳ１７に進む。
ステップＳ１４  識別情報記録部２６に記録する。
ステップＳ１５  印刷設定情報識別番号テーブルに記録する。
ステップＳ１６  画像未処理データ部２５ａに記録し、処理を終了する。
ステップＳ１７  印刷処理を行い、処理を終了する。
【００５１】
次に、本発明の第２の実施の形態について説明する。なお、本実施の形態におけるプリンタの構造については、前記第１の実施の形態におけるプリンタ２０（図１）の構造と同じであるので、図１を援用して説明する。
【００５２】
本実施の形態においては、識別情報判別部２２によって判別した識別情報の方が識別情報記録部２６の識別情報より古い場合は、識別情報記録部２６の識別情報に対応した印刷データが、画像未処理データ部２５ａ又は画像既処理データ部２５ｂのどちかに格納されているかどうかを確認する。そして、画像既処理データ部２５ｂに格納されている場合は、識別情報記録部２６の情報に対応したラスタライズ処理済の印刷データを画像既処理データ部２５ｂから読み出し、印刷部２８を経由して印刷が行われる。
【００５３】
また、画像未処理データ部２５ａに格納されている場合は、識別情報記録部２６の情報に対応したラスタライズ処理が行われていない印刷データを画像処理部２７に通知し、ラスタライズ処理を行った後、画像既処理データ部２５ｂにデータを記録し、対応する識別情報を識別情報記録部２６に記録した後、印刷部２８を経由して印刷が行われる。
【００５４】
一方、受信したデータが識別情報及び印刷データであると判別された場合、受信したデータは画像未処理データ部２５ａに一旦記録され、画像処理部２７に通知されてラスタライズ処理が行われた後、画像既処理データ部２５ｂにデータを記録し、対応する識別情報を識別情報記録部２６に記録した後、印刷部２８を経由して印刷が行われる。
【００５５】
このように、本実施の形態においては、最新のラスタライズデータを随時一時記録部２５に蓄積更新記録することによって、ラスタライズ処理を行わずに画像形成を行うことができる受信データのヒット率を向上させることができるので、印刷スループットを向上させることができる。
【００５６】
なお、前記第１及び第２の実施の形態においては、画像形成装置として、プリンタ２０を使用した例について説明したが、本発明を、ＭＦＰ、複写装置等の印刷データを格納することができる記録部が存在する印刷装置に適用することができる。
【００５７】
なお、本発明は前記実施の形態に限定されるものではなく、本発明の趣旨に基づいて種々変形させることが可能であり、それらを本発明の範囲から排除するものではない。
【図面の簡単な説明】
【００５８】
【図１】本発明の第１の実施の形態におけるプリンタのブロック図である。
【図２】本発明の第１の実施の形態における画像形成システムの概略図である。
【図３】本発明の第１の実施の形態における上位装置の印刷システムを示す図である。
【図４】本発明の第１の実施の形態における識別情報のフォーマットの例を示す図である。
【図５】本発明の第１の実施の形態における印刷設定情報識別番号テーブルのフォーマットの例を示す図である。
【図６】本発明の第１の実施の形態におけるデータ格納フォーマットの例を示す図である。
【図７】本発明の第１の実施の形態におけるプリンタの動作を示すフローチャートである。
【図８】本発明の第１の実施の形態における識別情報の送信形態を示す図である。
【図９】本発明の第１の実施の形態における識別情報及び印刷データの送信形態を示す図である。
【符号の説明】
【００５９】
１１    ネットワーク
２０    プリンタ
２３    比較部
２４    制御部
２５    一時記録部
２６    識別情報記録部
２８    印刷部
３３    データ分割スプーラ
Ｐｓ１〜Ｐｓ３、Ｐｓｉ    上位装置
【図１】
2007261106.tif 000003
【図２】
2007261106.tif 000004
【図３】
2007261106.tif 000005
【図４】
2007261106.tif 000006
【図５】
2007261106.tif 000007
【図６】
2007261106.tif 000008
【図７】
2007261106.tif 000009
【図８】
2007261106.tif 000010
【図９】
2007261106.tif 000011